(57)【要約】      （修正有）【課題】組立式の箱の製造ラインの折り畳み箱圧着装置において折り畳み箱に凹みや傷が付かないようにして設定数の箱をロット単位に区分することが可能な折り畳み箱の区分け装置を提供する。【解決手段】折り畳み箱圧着装置５の、圧着された折り畳み箱８を排出するレベルより、折り畳み箱搬出装置６の搬出レベルを低くして段差１３を設け、段差１３の部分に、折り畳み箱圧着装置５から折り畳み箱搬出装置６へ乗り移る折り畳み箱８を計数する計数器と、計数器の計数結果から設定数に達した折り畳み箱へエアー噴射して外側にずらして突出させるエアー噴射ノズルを配置した区分け装置。【選択図】図１
2014113782.tif 000002
【特許請求の範囲】
【請求項１】
箱を展開した形状のブランクシートを搬送しながら折り曲げ、糊代に糊を塗布し、糊代部分を重ねて折り畳んで得られた折り畳み箱をライン進行方向にずらせて重なり合わせた状態で折り畳み箱圧着装置の圧着ベルト間に通して圧着し、圧着された折り畳み箱を折り畳み箱搬出装置に排出する箱の製造ラインに配置される、設定数の折り畳み箱をロット毎に区分けする区分け装置において、前記折り畳み箱圧着装置の、圧着された折り畳み箱を排出するレベルより、前記折り畳み箱搬出装置の搬出レベルを低くして段差を設け、段差の部分に、前記折り畳み箱圧着装置から前記折り畳み箱搬出装置へ乗り移る折り畳み箱を計数する計数器と、前記計数器の計数結果から設定数に達した折り畳み箱へエアー噴射して外側にずらして突出させるエアー噴射ノズルを配置したことを特徴とする折り畳み箱の区分け装置。
【発明の詳細な説明】
【技術分野】
【０００１】
本発明は、箱の製造の際に、ライン進行方向にずらせて重なり合った状態で圧着される折り畳み箱に凹みや傷が形成されないようにして設定数の折り畳み箱を区分することが可能な折り畳み箱の区分け装置に関する。
【背景技術】
【０００２】
組立式の箱の製造ラインでは、箱を展開した形状のブランクシートを搬送しながら折り曲げ、糊代に糊を塗布し、糊代部分を重ねて折り畳んで得られた折り畳み箱をライン進行方向にずらせて重なり合わせた状態で圧着ロール間を通して圧着して製造される（特許文献１参照）。
【０００３】
例えば、図３に示す組立式紙箱の製造ラインでは、ラインの上流側から下流側に向かって、ブランクシート供給装置１、折り曲げ装置２、糊塗布装置３、折り畳み装置４、及び折り畳み箱圧着装置５及び折り畳み箱搬出装置６が順に配設されている。
【０００４】
この製造ラインではまず、ブランクシート７をブランクシート供給装置１から連続的に折り曲げ装置２に供給し、折り曲げ装置２で側板、耳部等を折り曲げる。
【０００５】
次に、糊塗布装置３において、耳部や側板などの糊代に糊を塗布した後、折り畳み装置４で糊代部分を重ね、折り畳んで折り畳み箱８に形成し、折り畳み箱８は、図４に示すように、折り畳み装置４から連続的に搬出される。
【０００６】
折り畳み装置４から連続的に搬出される折り畳み箱８は、折り畳み箱圧着装置５に達すると折り畳み箱圧着装置５の搬送速度が折り畳み装置４の搬送速度より遅く設定されているので、折り畳み箱８はライン進行方向に連続的にずらせて重なり合わせた状態となって図４のように折り畳み圧着装置５の中へ搬送されていく。
【０００７】
折り畳み箱８はロット単位で処理されるので、重なり合った折り畳み箱８がロット単位１０の設定数に達すると、設定数に達した折り畳み箱９をプッシャーで押して外側に突出させてずらし、図５に示すように、突出させた折り畳み箱９をロット単位の目印にして区分けしていく。
【０００８】
次に、重ねられた折り畳み箱８は、折り畳み箱圧着装置５の上下一対の圧着ベルト１１の間に挟まれて搬送されながら糊代部分が圧着されて接着されていく。
【０００９】
折り畳み箱圧着装置５により圧着された折り畳まれた箱８が折り畳み箱搬出装置６の搬送コンベ上に排出され、その下流で外側に突出させた折り畳み箱９を目印としてロット単位で包装あるいは箱詰めしていく。
【先行技術文献】
【特許文献】
【００１０】
【特許文献１】特開平１０−１２８８７３号公報
【発明の概要】
【発明が解決しようとする課題】
【００１１】
従来の組立式の箱の製造ラインにおいては、ライン進行方向に連続的にずらせて重なり合わせた状態の折り畳み箱を折り畳み箱圧着装置５の圧着ベルト１１の間に搬入すると、図６に示すように、ロット単位に区分するために目印としてずらされた折り畳み箱９の縁や角が上下の折り畳み箱の間に挟まれた状態で圧着ベルトにより押圧されるため、上下に重なっている折り畳み箱８に目印の折り畳み箱９の縁や角の跡の凹みや傷１２が形成され、見映えが悪くなるため、不合格品として排除するので歩留まりが悪く、また新たな折り畳み箱の補填作業に手間もかかっていた。
【００１２】
そこで、本発明は、組立式の箱の製造ラインの折り畳み箱圧着装置において折り畳み箱に凹みや傷が付かないようにして設定数の紙箱をロット単位に区分することが可能な折り畳み箱の区分け装置を提供するものである。
【課題を解決するための手段】
【００１３】
本発明は、箱を展開した形状のブランクシートを搬送しながら折り曲げ、糊代に糊を塗布し、糊代部分を重ねて折り畳んで得られた折り畳み箱をライン進行方向にずらせて重なり合わせた状態で折り畳み箱圧着装置の圧着ベルト間に通して圧着し、圧着された折り畳み箱を折り畳み箱搬出装置に排出する箱の製造ラインに配置される、設定数の折り畳み箱をロット毎に区分けする区分け装置において、前記折り畳み箱圧着装置の、圧着された折り畳み箱を排出するレベルより、前記折り畳み箱搬出装置の搬出レベルを低くして段差を設け、段差の部分に、前記折り畳み箱圧着装置から前記折り畳み箱搬出装置へ乗り移る折り畳み箱を計数する計数器と、前記計数器の計数結果から設定数に達した折り畳み箱へエアー噴射して外側にずらして突出させるエアー噴射ノズルを配置したことを特徴とする折り畳み箱の区分け装置である。
【発明の効果】
【００１４】
本発明は、ライン進行方向に連続的にずらせて重なり合わせた状態の折り畳み箱を目印として図５にある折り畳み箱９のようにずらすことなくそのまま折り畳み箱圧着装置に供給し、折り畳み箱圧着装置により圧着された後に設定数に達した折り畳み箱をずらして目印とするので、連続して重ねられた折り畳み箱に凹みや傷が形成されることがない。
【図面の簡単な説明】
【００１５】
【図１】本発明における区分け装置の段差における折り畳み箱の状態の説明図である。
【図２】本発明における区分け装置の配置の説明図である。
【図３】従来の組立式紙箱の製造ラインの説明図である。
【図４】折り畳み箱８が折り畳み箱圧着装置５にライン方向にずれて搬送される説明図である。
【図５】突出させた折り畳み箱をロット単位の目印にした状態を示す図である。
【図６】折り畳み箱に発生する凹みの説明図である。
【発明を実施するための形態】
【００１６】
本発明の実施例について図面を参照しながら説明する。
【実施例１】
【００１７】
本発明の区分け装置は、図３に示す従来の製造ラインと同様に、折り畳み箱圧着装置を備えた組立式の箱の製造ラインに適用される。すなわち、図３に示す従来の製造ラインと同様に、組立式の箱を展開した形状のブランクシートを供給するブランクシート供給装置、前記供給装置から供給されたブランクシートを折り曲げる折り曲げ装置、折り曲げ装置で折り曲げられたブランクシートの糊代を含む糊付け部分に糊を塗布する糊塗布装置、糊塗布装置で糊が塗布されている糊代部分を折り畳んで重ねる折り畳み装置、折り畳み装置から排出されてライン進行方向に連続的にずらした状態で重ね合わせられた折り畳み箱を圧着ロール間で圧着する折り畳み箱圧着装置、折り畳み箱圧着装置から圧着された折り畳み箱を搬出する折り畳み箱搬出装置が順次配置されている点で共通している。
【００１８】
しかし、設定数の折り畳み箱をロット毎に区分けする区分け装置は、従来は折り畳み箱圧着装置の折り畳み箱の入側に配置されていたのに対して、本発明では折り畳み箱圧着装置の折り畳み箱の排出側に配置した点で異なっている。
【００１９】
本発明の区分け装置は、折り畳み箱圧着装置から搬出される重ねられた折り畳み箱を計数し、設定数に達すると、設定数に達した折り畳み箱を外側に突出させてずらすことにより突出した折り畳み箱を目印にしてロット単位に区分けしていく。
【００２０】
図１、図２において、折り畳み箱圧着装置５とその後流の折り畳み箱搬出装置６は、折り畳み箱圧着装置５から連続的にずらして重ねあわされた状態で排出される折り畳み箱８を搬出する折り畳み箱搬出装置６の搬出レベルを折り畳み箱圧着装置５の折り畳み箱を排出するレベルより低くして段差１３を設ける。
【００２１】
段差１３を設けることにより、折り畳み箱圧着装置５から連続的にずらして重ねあわされた状態で排出される折り畳み箱８の後方が段差１３により次々に傾斜して重なり合った折り畳み箱どうしに隙間１４が形成された状態で折り畳み箱搬出装置６に乗り移る。
【００２２】
本発明では、段差１３により折り畳み箱どうしに隙間１４が形成されて上下の折り畳み箱８と一部が非接触の状態となるのを利用して、光学式の計数器１５を利用して折り畳み箱８を計数することが可能となる。
【００２３】
設定数の折り畳み箱８を計数するとともに、隙間が形成されて一部が非接触の状態において、設定数に達した折り畳み箱９にエアーノズル１６からエアーを噴射して外側にずらして突出させることによりロット単位に仕切る目印とする。
【００２４】
ロット単位ごとに仕切られた折り畳み箱８は、折り畳み箱搬出装置６で搬送され、後流でロット単位で箱詰めされる。
【符号の説明】
【００２５】
１：ブランクシート供給装置
２：折り曲げ装置
３：糊塗布装置
４：折り畳み装置
５：折り畳み箱圧着装置
６：折り畳み箱搬出装置
７：ブランクシート
８；折り畳み箱
９：突出させた折り畳み箱
１０：ロット単位
１１：圧着ベルト
１２：縁や角の跡の凹みや傷
１３：段差
１４：隙間
１５：計数器
１６：エアーノズル
【図１】
2014113782.tif 000003
【図２】
2014113782.tif 000004
【図３】
2014113782.tif 000005
【図４】
2014113782.tif 000006
【図５】
2014113782.tif 000007
【図６】
2014113782.tif 000008